(57)【特許請求の範囲】
【請求項１】
冷却水を供給するウォータポンプと、
シリンダブロックの側壁に形成された導入開口部を含み、前記ウォータポンプから供給された冷却水を前記シリンダブロックのウォータジャケットに供給する温間時冷却通路と、
前記シリンダブロックのウォータジャケットをバイパスして前記ウォータポンプから供給された冷却水をシリンダヘッドのウォータジャケットに供給する冷間時バイパス通路と、
前記シリンダブロックの側壁に形成され、前記温間時冷却通路と冷間時バイパス通路とが合流する合流部と、
前記合流部に配置される感温部、前記感温部の一端側に設けられて前記導入開口部を開閉する主弁、および前記感温部の他端側に設けられて前記冷間時バイパス通路を開閉するバイパス弁を有し、所定の冷間設定温度未満では前記温間時冷却通路を閉じて前記冷間時バイパス通路を開くとともに、前記冷間設定温度以上では、前記温間時冷却通路を開いて前記冷間時バイパス通路の開度を逓減するサーモスタット弁と
を備えたエンジンの２系統式冷却装置において、
前記導入開口部を囲繞するように前記合流部を区画して前記サーモスタット弁を収容するバルブハウジングと、
シリンダブロックの側壁と前記バルブハウジングとによって挟持されることにより前記合流部と前記導入開口部とを間仕切り、且つ前記サーモスタット弁の主弁によって開閉される連通孔が形成されたフランジ板と、
前記フランジ板の当該シリンダブロック側であって、前記サーモスタット弁の主弁と並ぶ位置に配置され、前記合流部の内圧が所定以上のときに前記合流部と前記導入開口部とを連通する圧力リリーフ弁と、
前記フランジ板の当該シリンダブロック側であって、前記サーモスタット弁の主弁および前記圧力リリーフ弁と並ぶ位置に配置され、前記導入開口部側の水温を検出する水温センサと
を設け、前記水温センサは、前記サーモスタット弁の主弁が開いたときの主流と反対側に外れる位置にレイアウトされている
ことを特徴とするエンジンの２系統式冷却装置。
【請求項２】
請求項１記載のエンジンの２系統式冷却装置において、
前記バルブハウジングは、前記ウォータポンプのボディと一体的に形成されており、前記サーモスタット弁のバイパス弁によって開閉される冷間時バイパス通路の上流端を区画するものである
ことを特徴とするエンジンの２系統式冷却装置。
【請求項３】
請求項１または２記載のエンジンの２系統式冷却装置において、
前記導入開口部が、前記シリンダブロックの気筒列方向一端側の側壁に形成され、
前記冷間時バイパス通路は、当該シリンダヘッドとシリンダブロックとの合わせ面に開く竪経路を含み、
前記竪経路は、気筒間に位置するヘッド締結ボルト孔の近傍に形成されており、
前記シリンダヘッドとシリンダブロックとの間には、前記竪経路に対応する前記ヘッド締結ボルト孔の周囲をシールするビード部を有するヘッドガスケットが配置されている
ことを特徴とするエンジンの２系統式冷却装置。
【発明の詳細な説明】
【技術分野】
【０００１】
本発明はエンジンの２系統式冷却装置に関し、特に、冷却水温度に応じて冷却水のシリンダブロックへの流れを選択的に切り換えるエンジンの２系統式冷却装置に関する。
【背景技術】
【０００２】
特許文献１に示されているように、エンジンの運転状況に応じて、冷間時からの暖機時間を短縮するため、シリンダブロックのウォータジャケットを通る温間時冷却通路と、シリンダブロックのウォータジャケットをバイパスする冷間時バイパス通路とを有する２系統式冷却装置が知られている。そのような２系統式冷却装置では、各通路の切り換え動作をサーモスタット弁で行っている。サーモスタット弁としては、特許文献２に開示されているように、暖機時において所定の水圧では、スプリングによる付勢力に抗してバイパス通路を開く圧力リリーフ機能を設けた構成が知られている。
【特許文献１】特開２００４−５２７５２号公報
【特許文献２】特開２００６−２４２０７３号公報
【発明の開示】
【発明が解決しようとする課題】
【０００３】
ところで、稀ではあるが、暖機時において、比較的高回転でエンジンが運転される場合があり、小さなリリーフ圧で圧力リリーフ弁を開くことが要請される場合がある。そのような運転状況で開く圧力リリーフ弁としては、サーモスタット弁とは別構成の圧力リリーフ弁を設け、リリーフ圧の設定自由度を高めることが好ましい。また、エンジンのフェールセーフの１つに例えば、シリンダブロックのウォータジャケット内の冷却水の温度を検出することがあり、このような水温センサの設置に周辺構造を考え合わせて検討する必要があり、苦労する。このようにサーモスタット弁の周囲に圧力リリーフ弁を装着する高い要請がある一方、水温センサをもサーモスタット弁の周囲にレイアウトできれば、シリンダブロックに直付けしてコンパクト化を図ることが、上述のような２系統式冷却装置の実用化を図る上で有用である。
【０００４】
本発明は上述のような要請に鑑みてなされたものであり、可及的にサーモスタット弁のコンパクト化を図りつつ、実用的で信頼性の高い構成を得ることのできるエンジンの２系統式冷却装置を提供することを課題としている。
【課題を解決するための手段】
【０００５】
上記課題を解決するために本発明は、冷却水を供給するウォータポンプと、シリンダブロックの側壁に形成された導入開口部を含み、前記ウォータポンプから供給された冷却水を前記シリンダブロックのウォータジャケットに供給する温間時冷却通路と、前記シリンダブロックのウォータジャケットをバイパスして前記ウォータポンプから供給された冷却水をシリンダヘッドのウォータジャケットに供給する冷間時バイパス通路と、前記シリンダブロックの側壁に形成され、前記温間時冷却通路と冷間時バイパス通路とが合流する合流部と、前記合流部に配置される感温部、前記感温部の一端側に設けられて前記導入開口部を開閉する主弁、および前記感温部の他端側に設けられて前記冷間時バイパス通路を開閉するバイパス弁を有し、所定の冷間設定温度未満では前記温間時冷却通路を閉じて前記冷間時バイパス通路を開くとともに、前記冷間設定温度以上では、前記温間時冷却通路を開いて前記冷間時バイパス通路の開度を逓減するサーモスタット弁とを備えたエンジンの２系統式冷却装置において、前記導入開口部を囲繞するように前記合流部を区画して前記サーモスタット弁を収容するバルブハウジングと、シリンダブロックの側壁と前記バルブハウジングとによって挟持されることにより前記合流部と前記導入開口部とを間仕切り、且つ前記サーモスタット弁の主弁によって開閉される連通孔が形成されたフランジ板と、前記フランジ板の当該シリンダブロック側であって、前記サーモスタット弁の主弁と並ぶ位置に配置され、前記合流部の内圧が所定以上のときに前記合流部と前記導入開口部とを連通する圧力リリーフ弁と、前記フランジ板の当該シリンダブロック側であって、前記サーモスタット弁の主弁および前記圧力リリーフ弁と並ぶ位置に配置され、前記導入開口部側の水温を検出する水温センサとを設け、前記水温センサは、前記サーモスタット弁の主弁が開いたときの主流と反対側に外れる位置にレイアウトされていることを特徴とするエンジンの２系統式冷却装置である。この態様では、温間時冷却通路と冷間時バイパス通路とを設け、温度状態に応じて両通路をサーモスタット弁によって択一的に切り換える２系統冷却方式において、両通路の合流部がバルブハウジングによって区画され、このバルブハウジングにサーモスタット弁を収容しているので、サーモスタット弁をシリンダブロックに直付けし、弁構造を可及的にシンプルにすることができる。加えて、このシンプルな弁構造にフランジ板を設け、このフランジ板に圧力リリーフ弁と水温センサを設け、加えて、圧力リリーフ弁がサーモスタット弁とは別構成で取り付けられているので、リリーフ圧の設定の自由度が高まる。他方、水温センサがサーモスタット弁の主弁が開いたときの主流と反対側に外れる位置にレイアウトされているので、冷却水の動的なエネルギーによる検出誤差が小さくなり、精度の高い故障検知ができるようになる。
【０００６】
好ましい態様において、前記バルブハウジングは、前記ウォータポンプのボディと一体的に形成されており、前記サーモスタット弁のバイパス弁によって開閉される冷間時バイパス通路の上流端を区画するものである。この態様では、バルブハウジングとウォータポンプとがユニット化され、シリンダブロック側面のコンパクト化をより高めることができるとともに、冷間時バイパス通路の上流端がバルブハウジング内に形成され、サーモスタット弁のバイパス弁によって開閉されるようになっているので、サーモスタット弁の小型化を図ることも可能になる。
【０００７】
好ましい態様において、前記導入開口部が、前記シリンダブロックの気筒列方向一端側の側壁に形成され、前記冷間時バイパス通路は、当該シリンダヘッドとシリンダブロックとの合わせ面に開く竪経路を含み、前記竪経路は、気筒間に位置するヘッド締結ボルト孔の近傍に形成されており、前記シリンダヘッドとシリンダブロックとの間には、前記竪経路に対応する前記ヘッド締結ボルト孔の周囲をシールするビード部を有するヘッドガスケットが配置されている。この態様では、冷間時バイパス通路がシリンダヘッドとシリンダブロックとの合わせ面に開口する竪経路を含んでいるので、冷間時バイパス通路の配管が不要になり、部品点数の低減やコンパクト化に寄与することになる。しかも、シリンダヘッドとシリンダブロックとを締結するボルトの締結力で、竪経路のシール性を高めることができるので、信頼性も高くなる。
【発明の効果】
【０００８】
以上説明したように、本発明は、温間時冷却通路と冷間時バイパス通路とを設け、温度状態に応じて両通路をサーモスタット弁によって択一的に切り換える２系統冷却方式において、シリンダブロックに直付けされるバルブハウジングにサーモスタット弁を配置し、さらに、所定のレイアウトで水温センサと圧力リリーフ弁とを設けているので、可及的にサーモスタット弁のコンパクト化を図りつつ、実用的で信頼性の高い構成を得ることができるという顕著な効果を奏する。
【発明を実施するための最良の形態】
【０００９】
以下、添付図面を参照しながら本発明の好ましい実施の形態について説明する。
【００１０】
図１は、本発明の実施の一形態に係る冷却装置の配管図であり、（Ａ）は冷間時、（Ｂ）は温間時を示している。
【００１１】
まず、図１（Ａ）（Ｂ）を参照して、本実施形態に係る冷却装置は、エンジンのシリンダヘッド１と、シリンダブロック２とにそれぞれ形成されたウォータジャケット１ａ、２ａと、シリンダヘッド１のウォータジャケット１ａの出口に設けられた主バルブ装置３と、シリンダブロック２のウォータジャケット２ａの入口に設けられた副バルブ装置４と、この副バルブ装置４とユニット化されたウォータポンプ５と、主バルブ装置３に接続されたラジエータ６と、主バルブ装置３からウォータポンプ５に還流する通路７に並列に接続されたオイルクーラ８およびオイルクーラ８と直列に接続されたヒータ９とを備えている（図７参照）。
【００１２】
図２は、図１の冷却装置を実装した本実施形態に係るエンジンの正面略図である。
【００１３】
図２を参照して、同エンジン１０は、そのクランクシャフト１１の前端部に出力スプロケット１２を有しており、図略のチェーンを介して、複数の補機（シリンダブロック２の左右に配置されたウォータポンプ５、空調用コンプレッサ１５等）がこの出力スプロケット１２によって駆動されるようになっている。また、エンジン１０には、当該エンジン１０の前端側にアイドラプーリ１４や、エンジン１０の後部側側部に配置されたＥＧＲ弁１７も備えている。
【００１４】
図３は、本発明の実施形態に係るシリンダヘッドの吸気側側面図であり、図４は、図３のIV−IV矢視断面図、図５は、図３のV−V矢視断面図である。
【００１５】
図３から図５を参照して、シリンダヘッド１は、４気筒４サイクルエンジンに適合するように鋳造されたものであり、前後（長手）方向に並ぶ４つの気筒のそれぞれに吸気ポート１ｂと排気ポート１ｃとがそれぞれ２個ずつ形成されている。
【００１６】
ウォータジャケット１ａは、各気筒の周囲に形成されている。このウォータジャケット１ａの排気側には、前後（長手）方向に延び、各気筒部位と複数箇所で連通するチェンバ１ｄが形成されている。チェンバ１ｄは、高温になりがちな排気側をより多くの冷却水で冷却し得るように形成されたものである。また、ウォータジャケット１ａは、各気筒を囲むように連通している。この結果、後述するように冷間時に冷却水がチェンバ１ｄを経由してウォータジャケット１ａに供給された際、冷却水は、シリンダヘッド１の長手方向並びに幅方向に流れてシリンダヘッド１の熱を吸収し、主バルブ装置３から排出されることになる。
【００１７】
シリンダヘッド１の前端部側には、ウォータジャケット１ａの前端部を直下のシリンダブロック２のウォータジャケット２ａと連通する連通路１ｅが形成されている。
【００１８】
図６は、本発明の実施形態に係るエンジンの平面略図であり、図７は、本発明の実施の形態に係るエンジンの背面図、図８は、図７のVIII−VIII矢視断面図、図９は、図７のIX−IX矢視断面図である。
【００１９】
図６〜図９を参照して、エンジン１０の後端部には、シリンダヘッド１のウォータジャケット１ａと連通する主バルブ装置３が配置されている。主バルブ装置３は、シリンダヘッド１に固定されるボディ３ａと、ボディ３ａに固定されるカバー３ｂと、ボディ３ａに内蔵されたサーモスタット弁２０とを備えている。
【００２０】
ボディ３ａは、シリンダヘッド１のウォータジャケット１ａと連通する連通室３ｄを区画する中空体であり、連通室３ｄは、ラジエータ６に冷却水を循環させるアッパホース６ａと接続されている。また、本実施形態において、連通室３ｄには、主バルブ装置３からウォータポンプ５に還流する通路７（図１参照）が接続されている。他方、カバー３ｂは、ラジエータ６から冷却水を還流させる循環室３ｅを区画する中空体であり、循環室３ｅは、サーモスタット弁２０によって連通室３ｄとの開閉が制御されるようになっている。循環室３ｅには、ラジエータ６からの冷却水を還流させるロアホース６ｂが接続されている。
【００２１】
サーモスタット弁２０は、周知のワックスタイプのものであり、ボディ３ａとカバー３ｂとに挟持されたフランジ付ホルダ２１と、このフランジ付ホルダ２１に内蔵されるスリーブ状の感温部２２と、この感温部２２に同心且つ摺動自在に設けられたピストン２３とを有している。感温部２２には、図略のワックスが充填されており、その熱膨張によってピストン２３を押し出すように構成されている。ピストン２３は、その基端部が感温部２２内に挿入されているとともに、自由端部がフランジ付ホルダ２１に固定されている。従って、感温部２２のワックスが膨張して力を受けると、その反力で感温部２２が自由端部から離反する方向（図８、図９において、図の右側）に移動することになる。
【００２２】
さらに感温部２２の一端側（図８、図９の左側）に延設されたスリーブ２２ａには、フランジ付ホルダ２１に形成された連通孔を開閉する主弁２４が固定されている。主弁２４とフランジ付ホルダ２１との間には、第１のコイルスプリング２５が介装されており、主弁２４は、この第１のコイルスプリング２５によってフランジ付ホルダ２１の連通孔を閉じる方向に付勢されている。そして、第１のコイルスプリング２５のスプリング係数は、冷却水が所定の温間設定温度（例えば８８℃）Ｔｗ未満では、感温部２２のワックス膨張による付勢力に打ち勝って主弁２４がフランジ付ホルダ２１の連通孔を閉じ、温間設定温度Ｔｗ以上では、感温部２２のワックス膨張による付勢力によって徐々に連通孔を開き、所定の全開温度（例えば９４℃）Ｔｗｗで全開になるように構成されている。他方、本実施形態では、主弁２４の閉弁領域（Ｔ＜Ｔｗ）において、循環室３ｅの水圧が高まった場合（例えば、エンジン回転速度が５０００ｒｐｍ以上のとき）には、主弁２４が第１のコイルスプリング２５の付勢力に抗して循環室３ｅを連通室３ｄと連通するようにリリーフ圧が設定されている。
【００２３】
感温部２２の主弁２４と反対側には、開閉弁２６が第２のコイルスプリング２７を介して弾性的に取り付けられている。この開閉弁２６は、感温部２２の変位に伴い、連通室３ｄとウォータジャケット１ａとの間の連通孔を弾性的に閉塞するものである。
【００２４】
この主バルブ装置３により、図１（Ａ）に示すように、冷間時（暖機時）においては、サーモスタット弁２０が連通室３ｄと循環室３ｅとを遮断するため、ラジエータ６に冷却水が流れなくなる。従って、ウォータジャケット１ａから流れ出た冷却水は、通路７を経由してウォータポンプ５に還流する。他方、図１（Ｂ）に示すように、温間時においては、サーモスタット弁２０が連通室３ｄと循環室３ｅとを連通するため、ラジエータ６に冷却水が循環するようになる。そして、ラジエータ６からロアホース６ｂを経て循環室３ｅに還流した冷却水は、連通室３ｄから通路７を経由してウォータポンプ５に還流する。
【００２５】
図１０は、本発明の実施形態に係るエンジンの右側面図であり、図１１は、図１０のXI−XI矢視断面図、図１２は、図１０のXII−XII矢視断面図（冷間時）、図１３は、図１０のXII−XII矢視断面図（温間時）である。
【００２６】
次に、図１、図１０、および図１１を参照して、シリンダブロック２のウォータジャケット２ａは、気筒の周囲を取り巻いて当該シリンダブロック２の長手方向に延びる平面形状を有している。そして、シリンダブロック２の前端部側には、ウォータジャケット２ａの前端部を真上のウォータジャケット１ａの連通路１ｅと連通する連通路２ｅが形成されている。
【００２７】
シリンダブロック２の排気側一側部には、シリンダブロック２のウォータジャケット２ａをバイパスする竪経路２ｃが形成されている。竪経路２ｃは、シリンダヘッド１とシリンダブロック２の前端側（気筒列方向一端側）において、図１１に示すように、シリンダヘッド１とシリンダブロック２との合わせ面に開く有底の穴によって具体化されており、シリンダヘッド１とシリンダブロック２との間には、竪経路２ｃの周囲をシールする、ビードを周囲に有する孔を形成した板金製のヘッドガスケット２ｄが配置されている。
【００２８】
図１０を参照して、ウォータポンプ５は、クランクシャフト１１の出力スプロケット１２に連結されるプーリ５ａと、このプーリ５ａに駆動されるインペラ（図示せず）を囲繞するボディ５ｂと、このボディ５ｂの前端部を覆うカバー５ｃとを有している。ボディ５ｂおよびカバー５ｃは、ボルト５ｄでシリンダブロック２の右側壁に固定されている。ボディ５ｂには、主バルブ装置３の連通室３ｄから吐出された冷却水をウォータポンプ５に戻す通路７が接続されており、この通路７からウォータポンプ５に戻された冷却水は、上記インペラによってウォータポンプ５に一体的に付設された副バルブ装置４に送給されるようになっている。
【００２９】
図１２および図１３を参照して、本実施形態において、ウォータポンプ５から供給される冷却水の流れをウォータジャケット２ａと竪経路２ｃとで切り換えるために、ウォータポンプ５のボディ５ｂには、副バルブ装置４がユニット化されている。
【００３０】
副バルブ装置４は、ウォータポンプ５のボディ５ｂに一体形成されてシリンダブロック２に固定されるバルブハウジング４ａと、バルブハウジング４ａに内蔵されたサーモスタット弁３０とを備えている。バルブハウジング４ａは、シリンダブロック２のウォータジャケット２ａに形成されて温間時冷却通路の要部をなす導入開口部２ｆと連通する合流部としての連通室４ｂを区画する中空体である。連通室４ｂには、シリンダブロック２の竪経路２ｃと連通するバイパス経路４ｃが形成されており、このバイパス経路４ｃと竪経路２ｃとによって、副バルブ装置４のバルブハウジング４ａは、シリンダブロック２のウォータジャケット２ａをバイパスしてウォータポンプ５から供給された冷却水をシリンダヘッド１のウォータジャケット１ａに供給する冷間時バイパス通路を構成しているとともに、この冷間時バイパス通路（バイパス経路４ｃと竪経路２ｃ）と温間時冷却通路としての導入開口部２ｆとが合流する合流部を構成している。
【００３１】
サーモスタット弁３０は、主バルブ装置３のサーモスタット弁２０と同様のワックスタイプのものであり、ホルダ３１、感温部３２、ピストン３３、感温部３２のスリーブ３２ａに固定されてウォータジャケット２ａの導入開口部２ｆを開閉する主弁３４、第１のコイルスプリング３５、バイパス経路４ｃを開閉するバイパス弁３６、第２のコイルスプリング３７を備えている。これらは原理的には、主バルブ装置３の対応する要素部材と同等のものであるが、副バルブ装置４における感温部３２は、所定の冷間設定温度（例えば、７５℃）Ｔｃ未満では、第１のコイルスプリング３５がワックス膨張による付勢力に打ち勝って主弁３４が導入開口部２ｆを閉じ、所定の全開温度（例えば８５℃）Ｔｃｗで全開になるように構成されている点が異なっている。
【００３２】
さらに本実施形態においては、サーモスタット弁３０を保持するために、図１４に示す略環状のフランジ板３８が採用されている。
【００３３】
図１４は、本実施形態に係るフランジ板の正面図である。
【００３４】
図１２〜図１４を参照して、フランジ板３８の中央部には、ホルダ３１が固定され、サーモスタット弁３０の主弁３４は、フランジ板３８の中央部に形成された連通孔３８ａを開閉する構成になっている。
【００３５】
フランジ板３８の一直径Ｄ方向には、該直径Ｄ方向に膨出する膨出部３８ｂ、３８ｃが延設されており、これら膨出部３８ｂ、３８ｃが組付時にシリンダブロック２とバルブハウジング４ａとの間に挟圧されることにより、エンジン１０に止定されるようになっている。さらに、フランジ板３８のシリンダブロック２側の面には、この一直径Ｄ方向に沿って主弁３４の両側に配設された圧力リリーフ弁４０と水温センサ４１とが固定されている。
【００３６】
図１２および図１３に示すように、圧力リリーフ弁４０は、ボール状の弁体４０ａをコイルスプリング４０ｂで付勢するチェック弁で具体化されたものであり、主弁３４の閉弁領域（Ｔ＜Ｔｃ）において、連通室４ｂの水圧が高まった場合（例えば、エンジン回転速度が４０００ｒｐｍ以上のとき）には、主弁３４が第１のコイルスプリング３５の付勢力に抗して連通室４ｂをウォータジャケット２ａと連通するようにリリーフ圧が設定されている。
【００３７】
また、水温センサ４１は、図略のエンジン制御ユニットと接続されて、このエンジン制御ユニットに水温の検出信号を出力するものであり、フェールセーフ上の情報として利用される。
【００３８】
組付時において、圧力リリーフ弁４０と水温センサ４１とは、サーモスタット弁３０の主弁３４を挟んでエンジン１０の前後に並ぶようにレイアウトされる。さらに、シリンダブロック２のウォータジャケット２ａをシリンダヘッド１のウォータジャケット１ａに連通する連通路１ｅが、当該ウォータジャケット１ａの前端に形成されていることから、水温センサ４１は、エンジン１０の後部側に配置される。これにより、図１３に示すように、主弁３４が開いた際、ウォータポンプ５からの冷却水の主流は、矢印ＡＷに示すように、主弁３４から前方に向かうことになるのに対し、水温センサ４１は、この主流ＡＷの上流側に外れた位置、すなわち主流と反対側の位置にレイアウトされることになる。この結果、主流ＡＷによる影響が可及的に抑制された状態でウォータジャケット２ａ内の冷却水の温度を検出することが可能になっている。
【００３９】
図１４を参照して、本実施形態において、フランジ板３８には、組付時において、フランジ板３８の最上部に位置する絞り通路３８ｄが形成されており、常時、主弁３４が開いたときの１％−２％の冷却水が連通室４ｂから導入開口部２ｆ内に流れるのを許容している。この絞り通路３８ｄは、サーモスタット弁３０の故障時に、連通室４ｂからシリンダブロック２のウォータジャケット２ａへの最低限の流れを確保する。
【００４０】
このような副バルブ装置４により、図１（Ａ）に示すように、冷間時（暖機時）においては、サーモスタット弁３０が連通室４ｂと導入開口部２ｆとを遮断するため、シリンダブロック２のウォータジャケット２ａには冷却水が流れなくなり、ウォータポンプ５から供給された冷却水は、バイパス経路４ｃを経由してシリンダヘッド１のウォータジャケット１ａに直接供給される一方、図１（Ｂ）に示すように、温間時においては、サーモスタット弁３０が連通室４ｂと導入開口部２ｆとを連通してバイパス経路４ｃを閉塞するため、ウォータジャケット２ａに冷却水が循環するようになる。
【００４１】
なお、図１２、図１３において、２ｇは、シリンダヘッド１をシリンダブロック２に締結するボルト１８を螺合させるヘッド締結ボルト孔である。
【００４２】
以上説明したように本実施形態では、温間時冷却通路としての連通路１ｅと冷間時バイパス通路（竪経路２ｃ、バイパス経路４ｃ）とを設け、温度状態に応じて両通路をサーモスタット弁３０によって択一的に切り換える２系統冷却方式において、これらの通路１ｅ、２ｃ、４ｃの連通室４ｂがバルブハウジング４ａによって区画され、このバルブハウジング４ａにサーモスタット弁３０を収容しているので、サーモスタット弁３０をシリンダブロック２に直付けし、弁構造を可及的にシンプルにすることができる。加えて、このシンプルな弁構造にフランジ板３８を設け、このフランジ板３８に圧力リリーフ弁４０と水温センサ４１を設け、加えて、圧力リリーフ弁４０がサーモスタット弁３０とは別構成で取り付けられているので、リリーフ圧の設定の自由度が高まる。他方、水温センサ４１がサーモスタット弁３０の主弁３４が開いたときの主流ＡＷと反対側に外れる位置にレイアウトされているので、冷却水の動的なエネルギーによる検出誤差が小さくなり、精度の高い故障検知ができるようになる。
【００４３】
また本実施形態では、バルブハウジング４ａは、ウォータポンプ５のボディ５ｂと一体的に形成されており、サーモスタット弁３０のバイパス弁３６によって開閉される冷間時バイパス通路（竪経路２ｃ、バイパス経路４ｃ）の上流端を区画するものである。このため本実施形態では、バルブハウジング４ａとウォータポンプ５とがユニット化され、シリンダブロック２側面のコンパクト化をより高めることができるとともに、冷間時バイパス通路（竪経路２ｃ、バイパス経路４ｃ）の上流端がバルブハウジング４ａ内に形成され、サーモスタット弁３０のバイパス弁３６によって開閉されるようになっているので、サーモスタット弁３０の小型化を図ることも可能になる。
【００４４】
また本実施形態では、導入開口部２ｆが、シリンダブロック２の気筒列方向一端側の側壁に形成され、冷間時バイパス通路は、当該シリンダヘッド１とシリンダブロック２との合わせ面に開く竪経路２ｃを含み、竪経路２ｃは、気筒間に位置するヘッド締結ボルト孔２ｇの近傍に形成されており、シリンダヘッド１とシリンダブロック２との間には、竪経路２ｃに対応するヘッド締結ボルト孔２ｇの周囲をシールするビード部を有するヘッドガスケット２ｄが配置されている。このため本実施形態では、冷間時バイパス通路（竪経路２ｃ、バイパス経路４ｃ）がシリンダヘッド１とシリンダブロック２との合わせ面に開口する竪経路２ｃを含んでいるので、冷間時バイパス通路（竪経路２ｃ、バイパス経路４ｃ）の配管が不要になり、部品点数の低減やコンパクト化に寄与することになる。しかも、ボルト１８の締結力で、竪経路２ｃのシール性を高めることができるので、信頼性も高くなる。
【図面の簡単な説明】
【００４５】
【図１】本発明の実施の一形態に係る冷却装置の配管図であり、（Ａ）は冷間時、（Ｂ）は温間時を示している。
【図２】図１の冷却装置を実装した本実施形態に係るエンジンの正面略図である。
【図３】本発明の実施形態に係るシリンダヘッドの吸気側側面図である。
【図４】図３のIV−IV矢視断面図である。
【図５】図３のV−V矢視断面図である。
【図６】本発明の実施形態に係るエンジンの平面略図である。
【図７】本発明の実施の形態に係るエンジンの背面図である。
【図８】図６のVIII−VIII矢視断面図である。
【図９】図７のIX−IX矢視断面図である。
【図１０】本発明の実施形態に係るエンジンの右側面図である。
【図１１】図１０のXI−XI矢視断面図である。
【図１２】図１０のXII−XII矢視断面図（冷間時）である。
【図１３】図１０のXII−XII矢視断面図（温間時）である。
【図１４】本実施形態に係るフランジ板の正面図である。
【符号の説明】
【００４６】
１  シリンダヘッド
１ａ  ウォータジャケット
１ｅ  連通路（温間時冷却通路の一例）
２  シリンダブロック
２ａ  ウォータジャケット
２ｃ  竪経路（冷間時バイパス通路の一例）
２ｄ  ヘッドガスケット
２ｇ  ヘッド締結ボルト孔
２ｆ  導入開口部
３  主バルブ装置
４  副バルブ装置
４ａ  バルブハウジング
４ｂ  連通室（合流部の一例）
４ｃ  バイパス経路（冷間時バイパス通路の一例）
５  ウォータポンプ
５ｂ  ボディ
６  ラジエータ
１０  エンジン
１８  ボルト
３０  サーモスタット弁
３２  感温部
３４  主弁
３６  バイパス弁
３８  フランジ板
３８ａ  連通孔
３８ｂ  膨出部
３８ｄ  絞り通路
４０  圧力リリーフ弁
４０ａ  弁体
４１  水温センサ
ＡＷ  主流
Ｔｃ  冷間設定温度
Ｔｗ  温間設定温度
【図１】
0004770816.tif 000002
【図２】
0004770816.tif 000003
【図３】
0004770816.tif 000004
【図４】
0004770816.tif 000005
【図５】
0004770816.tif 000006
【図６】
0004770816.tif 000007
【図７】
0004770816.tif 000008
【図８】
0004770816.tif 000009
【図９】
0004770816.tif 000010
【図１０】
0004770816.tif 000011
【図１１】
0004770816.tif 000012
【図１２】
0004770816.tif 000013
【図１３】
0004770816.tif 000014
【図１４】
0004770816.tif 000015